(57)【要約】      （修正有）【課題】メモリカードとその組合せの提供。【解決手段】メモリカードの第一端はUSBスロットの挿接口に対応し、第一端に近い位置には第一インターフェース、第二インターフェースを設置する。第一インターフェースはUSBインターフェースで、第二インターフェースはメモリカードのアクセスインターフェースである。第一インターフェースの複数の接触接点は第二インターフェースの複数の接触接点と一緒に並列で配され、及び相互に交差し分布する。メモリカードはUSBインターフェースを選択しUSBスロットに挿接しデータの読出し/書き込みを行い、或いはアクセスインターフェースを選択し同一規格のアクセスインターフェーススロットに挿接することができる。メモリカードとそのアクセスインターフェースはさらにアダプタカードを設置可能で、これによりSDカード、MSカード、或いは他のメモリカード型式に転換接続し、カードを挿入しデータの読出し/書き込みを行うことができる。【選択図】図３
0003130953.tif 000002
【実用新案登録請求の範囲】
【請求項１】
主にメモリカードは第一端とそれに相対する第二端を具え、該メモリカードの第一端はUSBスロットの挿接口に対応し、
該第一端位置に近い位置には第一インターフェースと第二インターフェースを設置し、該第一インターフェースはUSBインターフェースで、該第二インターフェースはメモリカードのアクセスインターフェースで、
該第一インターフェースの複数の接触接点は該第二インターフェースの複数の接触接点と一緒に相互に列を成し、及び相互に交差し分布することを特徴とするメモリカード。
【請求項２】
請求項１記載のメモリカードにおいて、前記USBインターフェースの複数の接触接点は横方向に１列に排列され、該アクセスインターフェースの複数の接触接点は横方向に交差し２列に排列されることを特徴とするメモリカード。
【請求項３】
請求項１或いは２記載のメモリカードにおいて、前記メモリカードUSBインターフェースの電源接触接点は該アクセスインターフェースの電源接触接点とすることを特徴とするメモリカード。
【請求項４】
請求項１或いは２記載のメモリカードにおいて、前記メモリカードUSBインターフェースのアース接触接点は該アクセスインターフェースのアース接触接点とすることを特徴とするメモリカード。
【請求項５】
請求項１或いは２記載のメモリカードにおいて、前記メモリカードUSBインターフェースの電源接触接点及びアース接触接点は該アクセスインターフェースの電源接触接点及びアース接触接点とすることを特徴とするメモリカード。
【請求項６】
主にメモリカード、アダプタカードを含み、
該メモリカードは第一端とそれに相対する第二端を具え、該メモリカードの第一端はUSBスロットの挿接口に対応し、
該第一端位置に近い位置には第一インターフェースと第二インターフェースを設置し、該第一インターフェースはUSBインターフェースで、該第二インターフェースはメモリカードのアクセスインターフェースで、
該第一インターフェースの複数の接触接点は該第二インターフェースの複数の接触接点と一緒に相互に列を成し、及び相互に交差し分布し、
該アダプタカードは別種のメモリカード形状を呈し、該アダプタカードはスロットを具え、該メモリカードと他のアクセスインターフェースを該スロット内に挿接し、こうして該別種のメモリカードのアクセスインターフェースに転換接続可能であることを特徴とするメモリカードの組合せ。
【請求項７】
請求項６記載のメモリカードの組合せにおいて、前記メモリカードのUSBインターフェースの電源接触接点は該アクセスインターフェースの電源接触接点となることを特徴とするメモリカードの組合せ。
【請求項８】
請求項６記載のメモリカードの組合せにおいて、前記メモリカードのUSBインターフェースのアース接触接点は該アクセスインターフェースのアース接触接点となることを特徴とするメモリカードの組合せ。
【請求項９】
請求項６記載のメモリカードの組合せにおいて、前記アダプタカードは相互に対応する第一端、第二端を具え、
該アダプタカードは該第二端より開口は第一端に向かって延伸し、これにより該メモリカードとそのアクセスインターフェースは挿入、定位され、該スロット末端には該メモリカードのアクセスインターフェースの複数の接触接点と対応し接触する複数の導電弾力片を設置し、
該アダプタカードは該第一端に近い位置において、該別種のメモリカードと同一のアクセスインターフェースの複数の導電接点を設置し、これにより該複数の導電片はそれぞれ対応し電気的に接続することを特徴とするメモリカードの組合せ。
【請求項１０】
請求項９記載のメモリカードの組合せにおいて、前記アダプタカードの複数の導電弾力片の分布幅はそれが対応する複数の導電接点より狭く、該各導電弾力片はそれぞれ一端に斜突出接触部を具え、これにより該メモリカードのアクセスインターフェースの複数の接触接点と対応接触し、
該各導電弾力片の反対端はそれぞれ該アダプタカードの複数の導電接点に対応し電気的に接触することを特徴とするメモリカードの組合せ。
【考案の詳細な説明】
【技術分野】
【０００１】
本考案は一種のメモリカードとその組合せに関する。特に一種の片側にUSBインターフェースとアクセスインターフェースを一緒に設置するメモリカードとその組合せに係る。
【背景技術】
【０００２】
電子カードはコンピュータ、電子辞典などに広く使用され、メモリ、インターネットカード、モデム、SCSI設備(高容量ハードディスク、スキャナなど)などの機能を拡充している。
【０００３】
現在の電子カードはPCMCIAカード以外に、MMC(Multi Media Card)、CF(Compact Flash Card)、SMC(Smart Media（登録商標） Card)、MS(Memory Stick)、SD(Secure Digital Memory Card)などの規格があり、PDA、パウム型電子辞書、デジカメなど製品に応用されているが、各種メモリカードの多くは単一規格のインターフェースのみを具えるため、広く応用されているUSB規格インターフェースに適用することはできない。一方、現在市販されている図１に示す特定のダブルインターフェースメモリカード９０では、一端にUSBインターフェース９１を設置し、電子設備９２のUSBスロット９３に挿接し、反対端にはSDインターフェース９４を設置し、同一規格のコネクタを挿接する。
【０００４】
しかし、該ダブルインターフェースメモリカード９０はその抜き差し時に、使用者の手指は一端のダブルインターフェースメモリカード９０のUSBインターフェース９１或いは反対端のSDインターフェース９４に接触してしまう。カードを挿入し使用する時は、接触されたインターフェース位置は露出状態となり破損し易い。
【０００５】
さらに、該ダブルインターフェースメモリカード９０の形状は幅と長さが等しく、該USBインターフェース９１より遥かに大きいため、該ダブルインターフェースメモリカード９０の大部分は該USBスロット９３外に露出する。これでは外側の他の接続ポート空間を占拠し、カード挿入の障害になってしまい、しかもぶつかり破損し易くもある。
【考案の開示】
【考案が解決しようとする課題】
【０００６】
本考案の主目的はメモリカードとその組合せを提供し、主に片側にUSBインターフェースとアクセスインターフェースを一緒に設置し、挿接使用状態時に、該２個のインターフェースは外部に露出しないため、使用者の手に握られ、また外力に接触され、インターフェースが損壊すること恐れはなく、該メモリカードはUSBインターフェースを選択しUSBスロットに挿接し、データの読出し/保存を行うことができ、またアクセスインターフェースを選択し同一規格のアクセスインターフェーススロットに挿接することができ、さらにメモリカードとアクセスインターフェースはアダプタカードの設置を選択可能で、これによりSDカード、MSカード、或いは他の型式のメモリカードに転換接続し、データの読出し/保存を行うことができるため、多用途という実際の使用のニーズに符合しておりる。
【０００７】
前記の目的を達成するため、メモリカードは第一端に相対する第二端を具え、該メモリカードの第一端はUSBスロットの挿接口に対応し、該第一端に近い位置には第一インターフェース、第二インターフェースを設置し、該第一インターフェースはUSBインターフェースで、該第二インターフェースは該メモリカードのアクセスインターフェースで、該第一インターフェースの複数の接触接点は該第二インターフェースの複数の接触接点と一緒に並列で配され、及び相互に交差し分布する。
【０００８】
最適実施例中では該USBインターフェースの複数の接触接点は横方向に１列に排列し、該アクセスインターフェースの複数の接触接点は横方向に交差し２列に排列する。
【０００９】
最適実施例中では該アクセスインターフェースは該USBインターフェースの電源接触接点或いは/及びアース接触接点を共用する。
【００１０】
さらにそのメモリカードはアダプタカードを設置可能で、該アダプタカードは別種のメモリカードの形状を呈し、スロットを具え、該メモリカードと該アクセスインターフェースは該スロット内に挿接され、該別種のメモリカードのアクセスインターフェースに転換接続される。
【課題を解決するための手段】
【００１１】
請求項１の考案は、主にメモリカードは第一端とそれに相対する第二端を具え、該メモリカードの第一端はUSBスロットの挿接口に対応し、
該第一端位置に近い位置には第一インターフェースと第二インターフェースを設置し、該第一インターフェースはUSBインターフェースで、該第二インターフェースはメモリカードのアクセスインターフェースで、
該第一インターフェースの複数の接触接点は該第二インターフェースの複数の接触接点と一緒に相互に列を成し、及び相互に交差し分布することを特徴とするメモリカードとしている。
請求項２の考案は、請求項１記載のメモリカードにおいて、前記USBインターフェースの複数の接触接点は横方向に１列に排列され、該アクセスインターフェースの複数の接触接点は横方向に交差し２列に排列されることを特徴とするメモリカードとしている。
請求項３の考案は、請求項１或いは２記載のメモリカードにおいて、前記メモリカードUSBインターフェースの電源接触接点は該アクセスインターフェースの電源接触接点とすることを特徴とするメモリカードとしている。
請求項４の考案は、請求項１或いは２記載のメモリカードにおいて、前記メモリカードUSBインターフェースのアース接触接点は該アクセスインターフェースのアース接触接点とすることを特徴とするメモリカードとしている。
請求項５の考案は、請求項１或いは２記載のメモリカードにおいて、前記メモリカードUSBインターフェースの電源接触接点及びアース接触接点は該アクセスインターフェースの電源接触接点及びアース接触接点とすることを特徴とするメモリカードとしている。
【００１２】
請求項６の考案は、主にメモリカード、アダプタカードを含み、
該メモリカードは第一端とそれに相対する第二端を具え、該メモリカードの第一端はUSBスロットの挿接口に対応し、
該第一端位置に近い位置には第一インターフェースと第二インターフェースを設置し、該第一インターフェースはUSBインターフェースで、該第二インターフェースはメモリカードのアクセスインターフェースで、
該第一インターフェースの複数の接触接点は該第二インターフェースの複数の接触接点と一緒に相互に列を成し、及び相互に交差し分布し、
該アダプタカードは別種のメモリカード形状を呈し、該アダプタカードはスロットを具え、該メモリカードと他のアクセスインターフェースを該スロット内に挿接し、こうして該別種のメモリカードのアクセスインターフェースに転換接続可能であることを特徴とするメモリカードの組合せとしている。
請求項７の考案は、請求項６記載のメモリカードの組合せにおいて、前記メモリカードのUSBインターフェースの電源接触接点は該アクセスインターフェースの電源接触接点となることを特徴とするメモリカードの組合せとしている。
請求項８の考案は、請求項６記載のメモリカードの組合せにおいて、前記メモリカードのUSBインターフェースのアース接触接点は該アクセスインターフェースのアース接触接点となることを特徴とするメモリカードの組合せとしている。
請求項９の考案は、請求項６記載のメモリカードの組合せにおいて、前記アダプタカードは相互に対応する第一端、第二端を具え、
該アダプタカードは該第二端より開口は第一端に向かって延伸し、これにより該メモリカードとそのアクセスインターフェースは挿入、定位され、該スロット末端には該メモリカードのアクセスインターフェースの複数の接触接点と対応し接触する複数の導電弾力片を設置し、
該アダプタカードは該第一端に近い位置において、該別種のメモリカードと同一のアクセスインターフェースの複数の導電接点を設置し、これにより該複数の導電片はそれぞれ対応し電気的に接続することを特徴とするメモリカードの組合せとしている。
請求項１０の考案は、請求項９記載のメモリカードの組合せにおいて、前記アダプタカードの複数の導電弾力片の分布幅はそれが対応する複数の導電接点より狭く、該各導電弾力片はそれぞれ一端に斜突出接触部を具え、これにより該メモリカードのアクセスインターフェースの複数の接触接点と対応接触し、
該各導電弾力片の反対端はそれぞれ該アダプタカードの複数の導電接点に対応し電気的に接触することを特徴とするメモリカードの組合せとしている。
【考案の効果】
【００１３】
本考案メモリカードは片側にUSBインターフェースとアクセスインターフェースを一緒に設置し、挿接使用状態時に、該２個のインターフェースは外部に露出しないため、使用者の手に握られ、また外力に接触され、インターフェースが損壊すること恐れはない。該メモリカードはUSBインターフェースを選択しUSBスロットに挿接し、データの読出し/保存を行うことができ、またアクセスインターフェースを選択し同一規格のアクセスインターフェーススロットに挿接することができる。さらにメモリカードとアクセスインターフェースはアダプタカードの設置を選択可能で、これによりSDカード、MSカード、或いは他の型式のメモリカードに転換接続し、データの読出し/保存を行うことができるため、多用途という実際の使用のニーズに符合している。
【考案を実施するための最良の形態】
【００１４】
先ず図２、３に示すように、本考案最適実施例の長方形メモリカード１０は内部に関連メモリとチップセットを含む。該メモリカード１０は片側端に近い位置に第一インターフェースと第二インターフェースを設置する。該第一インターフェースはUSBインターフェース１３で、該第二インターフェースはメモリカード１０のアクセスインターフェース１４である。これにより該メモリカード１０は該USBインターフェース１３による一般の電子設備のUSBスロット(図示なし)への挿接、或いは該アクセスインターフェース１４による他の対応する規格のアクセスインターフェーススロット(図示なし)への挿接を選択することができる。
【００１５】
次に図２、３に示すメモリカード１０はダブルインターフェース長方形主体に成型し、第一端１１、第二端１２を具える。該第一端１１と該第二端１２は同一距離或いは同一横幅断面に設置し、これにより該第一端１１はUSBスロットの挿接口サイズに対応することができる。図３に示す該メモリカード１０の該第一端１１に近い底面１６位置には該USBインターフェース１３を電気的に接続し、電子設備のUSBスロット(図示なし)を対応させる。それは相互に間を隔て排列する電源接触接点１３１、アース接触接点１３２、データ伝送接点１３３、１３４を具え、該メモリカード１０の第一端１１横幅はUSBスロットの挿接口幅に対応し、挿接し、データの読出し/保存を行う。
【００１６】
実際のカードの抜き差し操作時には、指により該第二端１２を持ち、該メモリカード１０を該第一端１１より電子設備のUSBスロットに挿接する時、該第二端１２は外部に露出するが、その露出面積、長さ、幅は一般のダブルインターフェースメモリカード規格に比べ非常に小さい。しかもその幅はUSBスロットの挿接口形状に近いため、他の連接ポートを塞いでしまうことはなく、カードの挿入を支障なく行うことができる。また該第二端１２にはインターフェースがないため、外力が及ぶことによる破損の機会を減少させることができる。
【００１７】
続いて図３に示す実施例中のメモリカード１０の該第一端１１底面１６に近い位置に、該アクセスインターフェース１４を電気的に連接する。それは複数の相互に間隔を開けて排列される接触接点１４１を具え、同時に該アクセスインターフェース１４の複数の接触接点１４１は該USBインターフェース１３の電源接触点１３１、アース接触点１３２、データ伝送接点１３３、１３４と相互に間を隔て一緒に排列され(図３参照)、相互に交差分布する。
さらに図４に示すように、該USBインターフェース１３の複数の接点は横に１列に排列され、該アクセスインターフェース１４の複数の接触接点１４１は横に交差し、相互に間を開けて２列に排列される。
【００１８】
上記メモリカード１０のアクセスインターフェース１４は複数の接触接点１４１を具える他、該USBインターフェース１３の電源接触接点１３１を該アクセスインターフェース１４の電源接触接点とし、或いは該USBインターフェース１３のアース接触接点１３２を該アクセスインターフェース１４のアース接触接点とするなど、該USBインターフェース１３の少なくとも１個の接触接点を使用することができる。
さらに、該USBインターフェース１３の電源接触接点１３１とアース接触接点１３２を同時に使用し、また電源接触接点１３１とアース接触接点１３２を同時に該アクセスインターフェース１４の電源及びアース接触接点とすることができる。
こうして該メモリカード１０の第一端１１は該アクセスインターフェース１４と該複数の接触接点１４１、或いは同時に電源接触接点１３１或いは/及びアース接触接点１３２に対応し、それと同一規格のアクセスインターフェーススロットと挿接することができる。
【００１９】
次に図２に示すメモリカード１０構造中において、該第一端１１は凸階段部１７を具え、該メモリカード１０の頂点面１５を構成する。しかも、該凸階段部１７は該第二端１２に延伸し、該第一端１１の横幅と厚みは相互に対応するスロットに対応する。
【００２０】
さらに図５、６に示す最適実施例において、該メモリカード１０はアダプタカード２０内に挿接し、別種のメモリカード型式及びその規格のインターフェースすることができ、これにより一般の電子設備の既存の対応するコネクタに挿接可能となる。
【００２１】
図５〜８に示すように、該アダプタカード２０は別種のメモリカード規格の長さと幅を持つ形状と厚みに成型し、相対する第一端２３と第二端２４を具える。しかも該第二端２４の中央開口は該第一端２３に向かい、該メモリカード１０に対応するスロット２５を延伸する。該スロット２５末端には複数の列を成す導電弾力片２６をアースし、該メモリカード１０のアクセスインターフェース１４の複数の接触接点１４１に対応し(図３参照)、或いは該USBインターフェース１３の電源接触接点１３１、或いは/及びアース接触接点１３２に同時に対応する。該アダプタカード２０の第一端２３底面には、該別種のメモリカード規格と同一のアクセスインターフェース形状に配置する複数の列を成す導電接点２７を設置する(図７参照)。同時にそれは該複数の導電弾力片２６とそれぞれ対応し電気的に接続し、或いは相互間は回路板２８を経由し電気的に接続する。
【００２２】
図５に示す最適実施例において、該アダプタカード２０は一般のメモリカード規格中のSDカード型式或いは他のメモリカード型式に成型する。図９、１０に示すメモリカード１０はMSアダプタカード２０１に対応し挿接し、MSメモリカード型式を構成する。
【００２３】
次に図３、５〜８に示すように、本実施例のメモリカード１０をアダプタカード２０に対応し使用する時には、該メモリカード１０は該第一端１１より該アダプタカード２０のスロット２５中に挿入定位され、該メモリカード１０のアクセスインターフェース１４の複数の接触接点１４１、或いは電源接触接点１３１或いは/及びアース接触接点１３２は、該アダプタカード２０の複数の列を成す導電弾力片２６を経由し、該複数の列を成す導電接点２７とそれぞれ対応し電気的に接続する。こうして該別種のメモリカード規格のインターフェース(図示のSDカードなど)に転換接続され、一般の電子設備の対応するSDコネクタに挿接される。
【００２４】
最適実施例においては、該アダプタカード２０はプラスチック本体２１に上蓋２２を組み合わせ、両者間には該スロット２５を構成し、しかも該上蓋２２中央には導入槽２９を設置し、該メモリカード１０一端の第一端１１と該第二端１２の頂点面の凸階段部１７に対応する。こうして、該メモリカード１０はスムーズに挿入される。
【００２５】
次に図７、８に示すアダプタカード２０構造中の複数の列を成す導電弾力片２６の分布幅は該複数の列を成す導電接点２７より小さく、該各導電弾力片２６はそれぞれ一端に斜突出接触部２６１を具え、該メモリカード１０のアクセスインターフェース１４の複数の接触接点１４１ (図３参照)、或いは同時に該USBインターフェース１３の電源接触接点１３１或いは/及びアース接触接点１３２に対応する。同時に該導電弾力片２６の反対端には、該アダプタカード２０の複数の列を成す導電接点２７がそれぞれ対応し、該別種のメモリカード型式及びそのアクセスインターフェース規格に転換接続される。
【図面の簡単な説明】
【００２６】
【図１】公知のダブルインターフェースメモリカードである。
【図２】本考案最適実施例メモリカードの立体図である。
【図３】図２が示すメモリカード底面の立体図である。
【図４】図３が示すメモリカードの別種の２列インターフェースの立体図である。
【図５】本考案最適実施例メモリカードをアダプタカードに挿入する様子の立体図である。
【図６】図５が示すアダプタカードの立体図である。
【図７】図６が示すアダプタカード底面の立体図である。
【図８】図６が示すアダプタカードの上蓋を取り外した様子の立体図である。
【図９】本考案別種の実施例メモリカードをアダプタカードに挿入する様子の立体図である。
【図１０】図９が示すアダプタカード底面の立体図である。
【符号の説明】
【００２７】
１０  メモリカード
１１  第一エンド
１２  第二エンド
１３  USBインターフェース
１４  アクセスインターフェース
１５  頂点面
１６  底面
１７  凸階段部
１３１  電源接触接点
１３２  アース接触接点
１３３  データ伝送接点
１３４  データ伝送接点
１４１  接触接点
２０  アダプタカード
２１  プラスチック本体
２２  上蓋
２３  第一エンド
２４  第二エンド
２５  スロット
２６  導電弾力片
２７  導電接点
２８  回路板
２９  導入槽
２０１  アダプタカード
２６１  斜突出接触部
【図１】
0003130953.tif 000003
【図２】
0003130953.tif 000004
【図３】
0003130953.tif 000005
【図４】
0003130953.tif 000006
【図５】
0003130953.tif 000007
【図６】
0003130953.tif 000008
【図７】
0003130953.tif 000009
【図８】
0003130953.tif 000010
【図９】
0003130953.tif 000011
【図１０】
0003130953.tif 000012
【手続補正書】
【提出日】平成18年9月29日(2006.9.29)
【手続補正１】
【補正対象書類名】明細書
【補正対象項目名】０００３
【補正方法】変更
【補正の内容】
【０００３】
現在の電子カードはPCMCIAカード以外に、MMC(Multi Media Card)、CF(Compact Flash Card)、SMC(Smart Media（登録商標）Card)、MS(Memory Stick（登録商標））、SD(Secure Digital Memory Card)などの規格があり、PDA、パウム型電子辞書、デジカメなど製品に応用されているが、各種メモリカードの多くは単一規格のインターフェースのみを具えるため、広く応用されているUSB規格インターフェースに適用することはできない。一方、現在市販されている図１に示す特定のダブルインターフェースメモリカード９０では、一端にUSBインターフェース９１を設置し、電子設備９２のUSBスロット９３に挿接し、反対端にはSDインターフェース９４を設置し、同一規格のコネクタを挿接する。